(57)【特許請求の範囲】
【請求項１】
遊技盤の遊技領域に配設され、
大当たり時に遊技球を入賞させる大入賞口と、
遊技球の前記大入賞口への入賞を可能にする入賞可能状態と入賞を不能にする入賞不能状態とに移動する開閉部材と、
遊技球の入賞を検知する検知部材と、
パチンコ遊技機の制御手段により作動を制御されて、前記開閉部材を入賞可能状態と入賞不能状態とに移動させる駆動手段と、
を備えたパチンコ遊技機の大入賞口装置であって、
前記遊技盤の盤面に連なって配置される後枠部、左右に離れて前記後枠部から前方に突出する左枠部と右枠部、及び、前記左枠部と前記右枠部との前端付近相互を連結する前枠部、を有して上方から見て略ロ字状とし、中央の空間部位を、流下する遊技球の入球口とする枠体部が、配設され、
前記開閉部材が、
入賞可能状態を、前記入球口の下端側を左右にわたって塞ぐ状態とし、入賞不能状態を、前記入球口の下端側を開口させる状態として、前記駆動手段により、上方から見て前後方向に移動する構成とするとともに、
入賞可能状態への配置時に、左右の少なくとも一方側に下がるように傾斜して、上面側に載る遊技球を、下がった側に案内可能な案内面部を備えて構成され、
前記大入賞口の開口部位が、
開口面の軸心を左右方向に略沿わせて、前記枠体部の左枠部と右枠部とにおける入賞可能状態への配置時の前記案内面部の下がった側で、かつ、前記案内面部上を転動する遊技球を入賞可能な位置に、配設されるとともに、入賞する遊技球を前記開口部位から前記遊技盤側の後方へ導く球通路を連ならせて、配設され、
前記検知部材が、前記大入賞口の開口部位に配設されていることを特徴とするパチンコ遊技機の大入賞口装置。
【請求項２】
前記開閉部材の前記案内面部が、左右方向に延びる棒状に形成されて、前記入賞可能状態への配置時、上方から見た前記入球口の前後方向の中間部位で、前後に隙間を開けて、配設される構成としていることを特徴とする請求項１に記載のパチンコ遊技機の大入賞口装置。
【請求項３】
前記開閉部材が、前記案内面部に連なって配設されて、前記大入賞口の開口部位を、入賞不能状態時に塞ぎ、入賞可能状態時に開口させる蓋部、を備えて構成されていることを特徴とする請求項１若しくは請求項２に記載のパチンコ遊技機の大入賞口装置。
【請求項４】
前記開閉部材が、前記案内面部を前記前枠部側に位置させて、前記入賞不能状態とし、前記案内面部を前記前枠部側から後方移動させて前記入賞可能状態とするように、前記駆動手段に連結されていることを特徴とする請求項１乃至請求項３のいずれか１項に記載のパチンコ遊技機の大入賞口装置。
【請求項５】
前記開閉部材が、前記案内面部の左右両端にそれぞれ連結され、かつ、前記案内面部を前後に揺動可能に、前記左枠部と前記右枠部とにそれぞれ支持される保持杆を有して構成され、
前記駆動手段が、前記案内面部を前後方向に回動させて入賞可能状態と入賞不能状態となる位置に配置させるように、前記保持杆に連結される構成としていることを特徴とする請求項１乃至請求項４のいずれか１項に記載のパチンコ遊技機の大入賞口装置。
【請求項６】
前記枠体部の前枠部が、前記後枠部より、上下方向の幅寸法を小さく形成され、
前記後枠部に、前方から視認可能に点灯する装飾用ランプが、配設されていることを特徴とする請求項１乃至請求項５のいずれか１項に記載のパチンコ遊技機の大入賞口装置。
【発明の詳細な説明】
【技術分野】
【０００１】
本発明は、遊技者が大当たり時に遊技球を入賞させる大入賞口を有して構成されるパチンコ遊技機の大入賞口装置に関する。
【背景技術】
【０００２】
従来、パチンコ遊技機では、始動口への入賞に伴う抽選による大当たり時に、大入賞口を開口させて、大入賞口への入賞によって、遊技者に賞球を与えている。しかし、大入賞口への入賞数が所定個数より多くなることは望ましくない。そのため、従来のパチンコ遊技機では、大当たり時の賞球数に差を設けず、過剰に賞球させないように、所定数の入賞を検知した後、直ちに、大入賞口への入賞を規制可能に、羽根部材や球通路を、遊技球の入賞困難位置に配置させるものがあった（例えば、特許文献１，２参照）。
【０００３】
あるいは、従来のパチンコ遊技機では、大入賞口への入賞時の遊技球の検知を迅速にして、所定個数以上の大入賞口への入賞を阻止するように、羽根部材や開閉扉を遊技球の入賞困難位置に移動させて、次のラウンド等に移行させるものもあった（例えば、特許文献３，４参照）
【先行技術文献】
【特許文献】
【０００４】
【特許文献１】特開２００２−１７７５０８号公報
【特許文献２】特開２００３−２３６１２１号公報
【特許文献３】特開２００２−２１００８７号公報
【特許文献４】特開２０１１−０９２３０１号公報
【発明の概要】
【発明が解決しようとする課題】
【０００５】
しかし、従来の特許文献１，２に記載のパチンコ遊技機では、流下してくる遊技球を受け止めない位置に羽根部材や球通路を、移動させて、大入賞口への過剰な遊技球の入球を阻止できるものの、入賞時の遊技球の検知自体を迅速にしているものではない。
【０００６】
また、従来の特許文献３，４に記載のパチンコ遊技機では、大入賞口に入球してから入賞の検知部位までの遊技球の移動距離を短くしたり、あるいは、移動速度を高めて、迅速に検知できるものの、大入賞口の開放時に入賞する遊技球が、規定の所定個数分、カウントされた直後における検知部位の直前の遊技球を、入賞させないように排除させる点に、改善の余地があった。
【０００７】
本発明は、上述の課題を解決するものであり、大入賞口への入賞の検知を迅速に行え、かつ、入賞個数を安定させることができるパチンコ機の大入賞口装置を提供することを目的とする。
【課題を解決するための手段】
【０００８】
＜請求項１の説明＞
本発明に係る大入賞口装置は、遊技盤の遊技領域に配設され、
大当たり時に遊技球を入賞させる大入賞口と、
遊技球の前記大入賞口への入賞を可能にする入賞可能状態と入賞を不能にする入賞不能状態とに移動する開閉部材と、
遊技球の入賞を検知する検知部材と、
パチンコ遊技機の制御手段により作動を制御されて、前記開閉部材を入賞可能状態と入賞不能状態とに移動させる駆動手段と、
を備えたパチンコ遊技機の大入賞口装置であって、
前記遊技盤の盤面に連なって配置される後枠部、左右に離れて前記後枠部から前方に突出する左枠部と右枠部、及び、前記左枠部と前記右枠部との前端付近相互を連結する前枠部、を有して上方から見て略ロ字状とし、中央の空間部位を、流下する遊技球の入球口とする枠体部が、配設され、
前記開閉部材が、
入賞可能状態を、前記入球口の下端側を左右にわたって塞ぐ状態とし、入賞不能状態を、前記入球口の下端側を開口させる状態として、前記駆動手段により、上方から見て前後方向に移動する構成とするとともに、
入賞可能状態への配置時に、左右の少なくとも一方側に下がるように傾斜して、上面側に載る遊技球を、下がった側に案内可能な案内面部を備えて構成され、
前記大入賞口の開口部位が、
開口面の軸心を左右方向に略沿わせて、前記枠体部の左枠部と右枠部とにおける入賞可能状態への配置時の前記案内面部の下がった側で、かつ、前記案内面部上を転動する遊技球を入賞可能な位置に、配設されるとともに、入賞する遊技球を前記開口部位から前記遊技盤側の後方へ導く球通路を連ならせて、配設され、
前記検知部材が、前記大入賞口の開口部位に配設されていることを特徴とする。
【０００９】
本発明に係るパチンコ遊技機の大入賞口装置では、開閉部材が駆動手段によって入賞可能状態に移動している状態で、遊技球が上方から流下してくれば、遊技球は、枠体部の入球口に入って開閉部材の案内面部に載り、さらに、案内面部の下がった側の大入賞口の開口部位側に転動して、大入賞口に入賞し、また、検知部材に検知されて、その後、球通路を経て遊技盤内の所定の排出樋側に排出されることとなる。後続の遊技球も、同様に、案内面部上を転動して大入賞口に入賞して検知部材に検知された後、球通路を経て遊技盤内の所定の排出樋側に排出される。
【００１０】
その後、パチンコ遊技機の制御手段が、検知手段の信号に基づいて、所定個数の入賞球をカウントすれば、駆動部材が、制御手段の制御により、開閉部材を入賞不能状態に移動させる。その際、開閉部材の案内面部上に遊技球が載って、大入賞口への入賞直前に位置していても、案内面部が入球口の下端側を開口させるように前後方向に移動するため、案内面部上に載っていた遊技球は、転動面としていた案内面部が無くなることから、大入賞口に入賞すること無く、入球口から直ちに下方に落下する。そのため、大入賞口への入賞直前の案内面部上に遊技球が載っていても、案内面部が移動すれば、大入賞口へ入賞せずに、直ちに、その遊技球が落下することから、大入賞口への入賞個数を安定させることができる。
【００１１】
また、この入賞可能状態から入賞不能状態への移動の契機となる際の検知手段による遊技球の検知は、検知手段自体が、遊技盤から前方に突出した枠体部の左枠部若しくは右枠部の少なくとも一方における案内面部の下がった側に配置された大入賞口の開口部位、に配置されており、迅速に行うことができる。
【００１２】
したがって、本発明に係る大入賞口装置では、大入賞口への入賞の検知を迅速に行え、かつ、入賞個数を安定させることができる。
【００１３】
＜請求項２の説明＞
本発明に係る大入賞口装置では、前記開閉部材の前記案内面部は、左右方向に延びる棒状に形成して、前記入賞可能状態への配置時、上方から見た前記入球口の前後方向の中間部位で、前後に隙間を開けて、配設させる構成とすることが望ましい。
【００１４】
このような構成では、案内面部の前後方向の幅寸法が狭いことから、入賞可能状態から入賞不能状態に前後方向に移動すれば、入球口の下端側における案内面部の前後方向の隙間を、遊技球を落下可能な幅寸法に、直ちに大きくできて、入賞可能状態から入賞不能状態への移動時に、一層迅速に、大入賞口への入賞を阻止できるように、入球口の下端側を開口させて、遊技球を落下させることができる。
【００１５】
＜請求項３の説明＞
本発明に係る大入賞口装置では、前記開閉部材は、前記案内面部に連なって配設されて、前記大入賞口の開口部位を、入賞不能状態時に塞ぎ、入賞可能状態時に開口させる蓋部、を設けて構成することが望ましい。
【００１６】
このような構成では、大当たりでない通常時等において、遊技球が入球口に流下してきても、蓋部により、大入賞口への入球を安定して確実に阻止することができる。
【００１７】
＜請求項４の説明＞
本発明に係る大入賞口装置では、前記開閉部材は、前記案内面部を前記前枠部側に位置させて、前記入賞不能状態とし、前記案内面部を前記前枠部側から後方移動させて前記入賞可能状態とするように、前記駆動手段に連結させることが望ましい。
【００１８】
このような構成では、開閉部材が、入賞不能状態から入賞可能状態へ案内面部を移動させる際、入球口内に遊技球が位置していても、その遊技球を案内面部により遊技盤前方のガラス枠に当てるようなことを防止できて、異音が発生し難い。
【００１９】
＜請求項５の説明＞
本発明に係る大入賞口装置では、前記開閉部材は、前記案内面部の左右両端にそれぞれ連結され、かつ、前記案内面部を前後に揺動可能に、前記左枠部と前記右枠部とにそれぞれ支持される保持杆を設けて構成し、
前記駆動手段は、前記案内面部を前後方向に回動させて入賞可能状態と入賞不能状態となる位置に配置させるように、前記保持杆に連結させる構成とすることが望ましい。
【００２０】
このような構成では、開閉部材を前後方向にスライドさせるように移動させて、入賞可能状態や入賞不能状態に移動させる場合に比べて、省スペースとして、パチンコ遊技機に搭載できる。
【００２１】
＜請求項６の説明＞
本発明に係る大入賞口装置では、前記枠体部の前枠部は、前記後枠部より、上下方向の幅寸法を小さく形成し、
前記後枠部に、前方から視認可能に点灯する装飾用ランプを、配設することが望ましい。
【００２２】
このような構成では、遊技盤の盤面における大入賞口装置の配置エリアに、容易に、ＬＥＤ電飾基板等を設けてなる装飾用に点灯する装飾用ランプを配置でき、そして、装飾用ランプを点灯させれば、遊技者の目を楽しませることができる。
【００２３】
ちなみに、例えば、従来のような、前後方向に回動する開閉扉を設けた大入賞口装置では、その正面から見るエリアには、開閉扉が配置され、その薄くかつ回動する開閉扉には、装飾用ランプを配置させ難かった。しかし、本発明に係る大入賞口装置の後枠部には、後方へ凹んで遊技球を導く球通路や開閉扉を設けずに済み、容易に、装飾用ランプを配設することができる。
【図面の簡単な説明】
【００２４】
【図１】本発明に係る一実施形態の大入賞口装置が搭載されたパチンコ遊技機の正面図である。
【図２】実施形態の大入賞口装置（開閉部材の入賞不能状態）の正面図である。
【図３】実施形態の大入賞口装置の横断面図であり、図２のIII−III部位に対応する。
【図４】実施形態の大入賞口装置の縦断面図であり、図２のIV−IV部位に対応する。
【図５】実施形態の大入賞口装置の分解斜視図である。
【図６】実施形態の大入賞口装置の駆動部位の動作を説明する斜視図である。
【図７】実施形態の大入賞口装置における開閉部材の入賞可能状態の正面図である。
【図８】同実施形態の開閉部材の入賞可能状態での横断面図であり、図VIIのVIII−VIII部位に対応する。
【図９】同実施形態の開閉部材の入賞可能状態での横断面図であり、図VIIのVIII−VIII部位に対応する。
【図１０】同実施形態の入賞不能状態と入賞可能状態との開閉部材と駆動手段とを示す概略平面図である。
【図１１】同実施形態の入賞不能状態と入賞可能状態との開閉部材と検知手段とを示す概略側面図である。
【図１２】同実施形態の入賞不能状態と入賞可能状態との開閉部材と検知手段とを示す概略背面図である。
【図１３】パチンコ遊技機の電気系統のブロック図である。
【図１４】遊技制御基板が実行する大入賞口処理の一部のフローチャートである。
【図１５】同大入賞口処理の残部のフローチャートである。
【図１６】制御手段が実行する大入賞口スイッチ処理のフローチャートである。
【発明を実施するための形態】
【００２５】
以下、本発明の実施形態を図面に基づいて説明すると、図１に示すように、パチンコ遊技機Ｐは、遊技盤１を備え、遊技盤１は、遊技者が発射ハンドル１５を操作することによって発射された遊技球が転動しながら流下してゆく遊技領域２を備える。遊技領域２には、複数の普通入賞口４、ゲート５、第１始動口６、第２始動口７、大入賞口装置４０の枠体部５０を構成する台板４１や前飾り４３等が配設されている。
【００２６】
遊技領域２の中央部には、画像表示装置３が配設される。画像表示装置３は、液晶表示器等で構成され、表示画面３ａには、公知のデモ表示、始動口６，７への入賞に基づく図柄変動表示、リーチ演出、大当たり演出等が行われる。
【００２７】
その他、遊技盤１には、三種類の保留ランプ９、普通図柄表示器１０、二種類の特別図柄表示器１１等が配設されている。
【００２８】
大入賞口装置４０は、図２〜５に示すように、遊技盤１の取付孔１ａに挿入されて固定される台板４１と、台板４１の前面側に固定される前飾り４３と、台板４１の後面側に固定される裏蓋４５と、中間支持板４６と、を備え、さらに、開閉部材６０と、開閉部材６０を動作させる駆動手段７０と、を備えて構成されている。
【００２９】
そして、実施形態の大入賞口装置４０では、上方から見て略ロ字状とし、中央の空間部位を、流下する遊技球の入球口５５とする枠体部５０が、配設されている。枠体部５０は、遊技盤１の盤面１ｂに連なって配置される後枠部５４、左右に離れて後枠部５４から前方に突出する左枠部５１と右枠部５２、及び、左枠部５１と右枠部５２との前端付近相互を連結する前枠部５３、を備えて構成されている。そして、実施形態の場合、左枠部５１、右枠部５２、及び、前枠部５３が、前飾り４３から形成され、後枠部５４が台板４１から形成されている。また。前枠部５３は、後枠部５４より、上下方向の幅寸法が小さく形成されている。
【００３０】
大入賞口装置４０の大入賞口６５は、実施形態の場合、左枠部５１の入球口５５側に開口する開口部位６６に形成され、その開口面６６ａの軸心Ｘを、若干右上がりとして、左右方向に略沿わせて、配設されている。大入賞口６５の開口部位６６の周囲には、遊技球Ｂの通過を検知可能な検知手段としての磁気センサ等からなる大入賞口スイッチ（ＳＷ）６７が配設されている。
【００３１】
さらに、左枠部５１には、大入賞口６５の開口部位６６から入賞する遊技球Ｂを遊技盤１の後方側の図示しない排出樋へ排出可能な球通路６９が、配設されている。
【００３２】
そして、入球口５５の内周側には、図２〜４，６，７〜９に示すように、入球口５５の下端側を開閉して、遊技球Ｂの大入賞口６５への入賞を可能にする入賞可能状態ＯＰと入賞を不能にする入賞不能状態ＣＬとに移動する開閉部材６０が、配設されている。開閉部材６０は、左右方向に棒状に延び、かつ、大入賞口６５側の左方側に下がった案内面部６１を備えて構成されている。
【００３３】
開閉部材６０は、入賞可能状態ＯＰでは、図６のＢ、図７〜９、図１０のＢ，１１のＢ，１２のＢに示すように、案内面部６１を入球口５５の下端側を左右にわたって塞ぐ位置に配置させ、また、入賞不能状態ＣＬでは、図２〜４、図６のＡ、図１０のＡ，１１のＡ，１２のＡに示すように、案内面部６１を入球口５５の下端側を開口させる位置に配置させるように、駆動手段７０によって、上方から見て前後方向に移動する構成としている。
【００３４】
案内面部６１は、入賞可能状態ＯＰへの配置時、上面側を転動面６１ａとして、上方から入球口５５内に流下してきた遊技球Ｂを受け止めて、傾斜の下方側となる左方側、すなわち、大入賞口６５の開口部位６６側に遊技球Ｂを転動させて、大入賞口６５へ入賞可能に構成されている。
【００３５】
さらに、案内面部６１は、実施形態の場合、入賞可能状態ＯＰへの配置時、図８に示すように、上方から見た入球口５５の前後方向の中間部位で、前後に隙間ＨＦ，ＨＢを開けて、配置されるように前後方向の幅寸法を狭くして、構成されている。実施形態の場合、案内面部６１の転動面６１ａの前後方向の幅寸法ＷＲは、入球口５５の前後方向の幅寸法（開口幅）ＷＯの１／５程度、遊技球Ｂの直径寸法（１１mm）の１／４程度とした約３mmとしている。なお、入球口５５は、前後方向の幅寸法（開口幅）ＷＯを、遊技球の直径寸法より僅かに大きくし、左右方向の開口幅ＷＤは、実施形態の場合、遊技球Ｂの５個分以上程度の開口幅を有し、大入賞口６５の入口の開口幅の規定である５５〜１３５mmの範囲内として形成されている。勿論、規定の変更や本装置を入賞口装置として使用する場合には、開口幅ＷＤは、適宜、増減させてもよい。
【００３６】
また、開閉部材６０は、案内面部６１に連なって配設されて、案内面部６１の入賞不能状態ＣＬへの配置時に、大入賞口６５の開口部位６６を塞ぎ、かつ、案内面部６１の入賞可能状態ＯＰへの配置時に開口部位６６を開口可能な蓋部６３を備えている（図４，１１のＡ参照）。
【００３７】
実施形態の場合、開閉部材６０は、案内面部６１の左右両端を支持する保持杆６２（６２Ｌ，６２Ｒ）を備えて構成されるとともに、上方から見て、案内面部６１を、前枠部５３側に位置させて入賞不能状態ＣＬとし、前枠部５３側から後方移動させて入賞可能状態ＯＰとするように、駆動手段７０に連結されている。
【００３８】
さらに詳しく述べれば、開閉部材６０は、左保持杆６２Ｌと右保持杆６２Ｒとから突出する軸部６２ａを、それぞれ、枠体部５０の左枠部５１と右枠部５２とに回動自在に軸支させて、案内面部６１を前後に揺動可能に、左枠部５１と右枠部５２とにそれぞれ支持される構成としている。
【００３９】
なお、開閉部材６０は、大入賞口６５の開口部位６６に円滑に遊技球Ｂが入球するように、案内面部６１が、開口部位６６の開口面６６ａの軸心Ｘに略沿って配設され（詳しくは、軸心Ｘより若干浅い傾斜としているものの、左下がりの傾斜としている）、前後に揺動する回動軸ＲＣも軸心Ｘに略沿うように、左右の軸部６２ａを、左下がりとして、左枠部５１と右枠部５２とにそれぞれ支持させて、配設されている（図７参照）。
【００４０】
そして、駆動手段７０の後述するカムフレーム７７が、開閉部材６０の左保持杆６２Ｌに形成された係合ピン６２ｂに係合し、駆動手段７０は、作動時、係合ピン６２ｂを上下動させるように動作して、案内面部６１を、入賞可能状態ＯＰと入賞不能状態ＣＬとなる位置に、前後方向に回動させる構成としている。
【００４１】
左保持杆６２Ｌには、係合ピン６２ｂの他、既述の蓋部６３が配設されている。そして、蓋部６３は、左保持杆６２Ｌと一体的に形成された板状として、大入賞口６５の開口部位６６を塞いだ際、開口部位６６の中央付近を前後方向に沿った帯状に塞ぐように、構成されている。蓋部６３は、案内面部６１が入賞可能状態ＯＰへの配置時、開口部位６６の近傍で開口部位６６を開口させ、かつ、案内面部６１の入賞不能状態ＣＬへの配置時、開口部位６６を塞げるように、上縁６３ａを下方へ凹むように湾曲させて、三日月状に形成されている（図４参照）。
【００４２】
駆動手段７０は、パチンコ遊技機Ｐの制御手段としての遊技制御基板２０に作動を制御される駆動源としての大入賞口ソレノイド７１と、運動変換機構７５と、を備えて構成されている（図５、１０〜１２参照）。
【００４３】
運動変換機構７５は、大入賞口ソレノイド７１のプランジャ７２と連結されるクランクアーム７６と、カムフレーム７７と、偏心カム７８と、ガイドピン７９と、を備えて構成されている。クランクアーム７６は、プランジャ７２の先端のフランジ部７２ａと係合する元部７６ａと、元部７６ａから左方側へ棒状に延び、先端上面に複数の歯溝７６ｃを設けたラック部７６ｂと、を備えて構成されている。
【００４４】
偏心カム７８は、円板状の基部７８ａと、基部７８ａの中心からずれた前後の両端面からそれぞれ延びる軸部７８ｂ，７８ｄと、後側の軸部７８ｂに設けられてラック部７６ｂの歯溝７６ｃに噛合するピニオン部７８ｃと、を備えて構成されている。また、前後の軸部７８ｂ，７８ｄは、裏蓋４５と中間支持板４６とに対し、それぞれ、回動自在に支持されている（図４参照）。
【００４５】
カムフレーム７７は、偏心カム７８の円板状の基部７８ａを収納する収納凹部７７ｂを有した収納板部７７ａと、収納板部７７ａから左方に延びた係合部７７ｃと、を備えて構成されている。収納板部７７ａの収納凹部７７ｂは、左右に延びる長円形として、前後方向に貫通する貫通孔から形成されている。係合部７７ｃには、開閉部材６０の係合ピン６２ｂと係合するように、左端側を開口させる断面略コ字状として前後方向に延び、係合ピン６２ｂを収納する係合凹部７７ｄが、形成されている。また、収納板部７７ａと係合部７７ｃとの間の前部側には、三角板状のリブ７７ｅが上下に並設されて、上下のリブ７７ｅに上下方向に貫通するように、ガイド孔部７７ｆが形成されている。
【００４６】
ガイドピン７９は、カムフレーム７７のガイド孔部７７ｆに嵌挿され、上下両端を台板４１に保持されている。
【００４７】
カムフレーム７７は、裏蓋４５と中間支持板４６との間で、上下方向の移動を許容され、かつ、前後移動を規制されて配設され、上下の移動を、ガイド孔部７７ｆに挿入されてガイドピン７９により、案内される。
【００４８】
そして、この駆動手段（駆動機構）７０では、ソレノイド７１のプランジャ７２が左方に延ばした状態を、通常時の非作動時としており（図２〜４，６のＡ，１０のＡ，１１のＡ，１２のＡ参照）、その状態では、プランジャ７２に係合するクランクアーム７６が左方側に押し出されており、クランクアーム７６のラック部７６ｂに噛合するピニオン部７８ｃを有した偏心カム７８は、前後の軸部７８ｂ，７８ｄを円板状の基部７８ａの上側の縁付近に配置させた状態としている。この状態では、偏心カム７８の基部７８ａを収納凹部７７ｂに収納したカムフレーム７７は、ガイドピン７９の下部側に配置されて、係合凹部７７ｄを下位置に配置させる。そのため、係合凹部７７ｄに係合ピン６２ｂを係合させた開閉部材６０は、案内面部６１を、入球口５５の下端を開口させるように、前方に配置させて、前枠部５３の下面に上下方向に連ならせている。この時、案内面部６１は、遊技球Ｂの大入賞口６５への入賞を不能とする入賞不能状態ＣＬの配置となる。
【００４９】
一方、ソレノイド７１が通電された作動時では、プランジャ７２が引き込まれて（図６のＢ、図７〜９，１０のＢ，１１のＢ，１２のＢ参照）、その状態では、クランクアーム７６が右方側に引き込まれ、クランクアーム７６のラック部７６ｂに噛合するピニオン部７８ｃを有した偏心カム７８は、収納凹部７７ｂ内を回転しつつ摺動して、前後の軸部７８ｂ，７８ｄを基部７８ａの上下方向の中間位置に配置させる。そのため、カムフレーム７７が、相対的に、ガイドピン７９に案内されて上方移動し、係合凹部７７ｄを上位置に配置させる。その結果、係合凹部７７ｄに係合ピン６２ｂを係合させた開閉部材６０は、案内面部６１を、入球口５５の下端を塞ぐように、すなわち、遊技球Ｂを大入賞口６５へ入賞可能な入賞可能状態ＯＰに配置させることとなる。
【００５０】
そしてまた、実施形態では、後枠部５４を構成する台板４１には、前枠部５３の後方に、前枠部５３より上下方向の幅寸法を大きくして、装飾用ランプ４２が配設されている。装飾用ランプ４２は、前面側のレンズ４２ａと、レンズ４２ａの後方のＬＥＤ電飾基盤４２ｂと、を備えて構成され、遊技機Ｐの大当り等の演出時、所定の点灯を行うこととなる。
【００５１】
なお、図３，４，８，９において、符号１２は、透明ガラスを設けてなるガラス枠を表している。
【００５２】
このパチンコ遊技機Ｐの電気系統を説明すると、図１３に示すように、制御手段としての遊技制御基板２０を中枢部とし、遊技制御基板２０に演出制御基板２１、払出制御基板２２及び盤用外部情報端子基板２３が接続され、演出制御基板２１に画像制御基板２４及びランプ制御基板２５が接続され、払出制御基板２２に枠用外部情報端子基板２６が接続されている。遊技制御基板２０、演出制御基板２１、払出制御基板２２、画像制御基板２４及びランプ制御基板２５は、それぞれ、CPU、ROM、RAM、I/Oなどを備えて構成されている。
【００５３】
遊技制御基板２０には、遊技球Ｂが始動口６，７に入賞したことを検出する始動口スイッチ（ＳＷ）２７，２８、普通図柄表示器１０の変動表示数字が所定の数字で表示停止したとき、第２始動口（電チュー）７を開放駆動する電チューソレノイド２９、電チューソレノイド２９を動作させる契機として遊技球Ｂがゲート５を通過したことを検出するゲートＳＷ３０、遊技球Ｂが大入賞口６５に入賞したことを検出する大入賞口ＳＷ６７、大入賞口６５への入賞を可能に開閉部材６０を移動させる大入賞口ソレノイド７１、遊技球Ｂが普通入賞口４へ入賞したことを検出する普通入賞口ＳＷ３１、保留球数を表示する保留ランプ９、遊技球Ｂがゲート５を通過することが契機となって数字が変動表示される普通図柄表示器１０、画像表示装置３による演出と同期して特別図柄を変動表示する特別図柄表示器１１がそれぞれ接続される。
【００５４】
そして、普通図柄表示器１０に所定の数字が変動停止したとき、電チューソレノイド２９が動作して第２始動口７が所定時間開放する。
【００５５】
演出制御基板２１は、遊技制御基板２０からの所定の大当たりやリーチ演出等のコマンド信号が入力され、RAMに記憶されたデータに基づき、画像表示装置３の画像演出や装飾用ランプ４２の点灯演出を行うように、所定のコマンド信号が画像制御基板２４やランプ制御基板２５に出力する。
【００５６】
また、払出制御基板２２には、賞球を払出す賞球払出装置の駆動源である払出駆動モータ３２、賞球払出装置により払い出された遊技球Ｂを検出する払出球検出スイッチ３３、賞球払出装置に供給すべき遊技球Ｂが有ることを検出する球有り検出スイッチ３４、球貯留皿１４が払い出された遊技球Ｂによって満杯になったことを検出する満タン検出スイッチ３５、がそれぞれ接続されている。
【００５７】
つぎに、制御手段としての遊技制御基板２０が実行する大入賞口処理及び大入賞口スイッチ（ＳＷ）処理を図１４，１５に基づいて順に説明する。なお、実施形態のパチンコ遊技機Ｐの大入賞口装置４０では、大当たりの大当たり遊技として、１ランド当たりの入賞個数Ｃを「９」個、賞球を１５個、ラウンド数Ｒを「１５」ラウンドとして説明するが、大当たり時の１ランドの入賞個数、賞球、ラウンド数は、これに限定されるものではない。
【００５８】
（１）大入賞口処理（図１４）
図１４において、遊技制御基板２０は、まず、大当たり中であるか否かを判定し（ステップS1）、大当たり中でなければ処理を終え（ステップS1でNO）、大当たり中であれば（ステップS1でYES）、オープニング中であるか否かを判定する（ステップS2）。オープニング中でなければ（ステップS2でNO）、ステップS9に移行して、開放中か否かを判定する。
【００５９】
なお、オープニング中とは、大当たりが発生してから大当たりの第１ラウンドが開始されるまでの期間をいう。
【００６０】
ステップS2でYESであれば、ステップS3に移行して、オープニング時間つまり、大当たり発生時点から大当たりの第１ラウンドの開始時点までの時間が経過したか否かを判定し、経過していなければ（ステップS3でNO）、処理を終え、経過していれば（ステップS3でYES）、ラウンド数Ｒを「１」だけ加算し（ステップS4）、ついで、大入賞口６５への入賞個数Ｃを「０」にクリアした後（ステップS5）、大入賞口ソレノイド７１に作動信号を出力し、開閉部材６０の案内面部６１を入賞不能状態ＣＬから入賞可能状態ＯＰへ移動させて、入球口５５へ流下する遊技球Ｂを、案内面部６１上を転動させて、大入賞口６５へ入賞可能な開放状態とし（ステップS6）、ステップS7に移行する。
【００６１】
また、既述のステップS9において、大入賞口６５が開放中か否か判定した場合、開放中であれば（ステップS9でYES）、ステップS7に移行し、開放中でなければ（ステップS9でNO）、エンディング中か否かを判定し、エンディング中であれば（ステップS12でYES）、ステップS16に移行し、エンディング中でなければ（ステップS12でNO）、インターバル時間が経過したか否かを判定する（ステップS13）。インターバル時間が経過していれば（ステップS13でYES）、ステップS4に移行し、インターバル時間が経過していなけば（ステップS13でNO）、処理を終える。
【００６２】
なお、エンディング中とは、第１５ラウンドが終了した後に画像表示装置３において大当たり終了演出が行われているときをいう。また、インターバル時間とは、大入賞口６５が開放された時点から次のラウンドを開始させるべく大入賞口６５を開放する時点までの、予め設定した時間をいう。
【００６３】
そして、ステップS7では、１ランドでの大入賞口６５が開放状態を持続することができる時間が経過したか否かを判定し、経過していなければ（ステップS7でNO）、大入賞口６５への入賞個数Ｃが所定値「９」であるか否かを判定し（ステップS8）、入賞個数Ｃが「９」でなければ、処理を終える。
【００６４】
ステップS7において、開放時間が経過していたり（ステップS7でYES）、あるいは、入賞個数Ｃが「９」であれば（ステップS8でYES）、ステップS10に移行して、大入賞口ソレノイド７１への作動信号を出力停止し、開閉部材６０の案内面部６１を入賞可能状態ＯＰから入賞不能状態ＣＬへ配置させて、大入賞口６５に遊技球Ｂが入賞しないように閉鎖状態とし（ステップS10）、ステップS11に移行する。
【００６５】
この時、大入賞口６５の開口部位６６の直前の案内面部６１上に遊技球Ｂが載っていても、その遊技球Ｂは、案内面部６１が遊技球Ｂの下面から前方へ移動して外れることから、大入賞口６５へ入賞すること無く、下方へ落下することとなる。
【００６６】
そして、ステップS11において、ラウンド数Ｒが「１５」であるか否かを判定し、ラウンド数Ｒが「１５」でなければ（ステップS11でNO）、処理を終え、ラウンド数Ｒが「１５」であれば（ステップS11でYES）であれば、ラウンド数Ｒが「０」にクリアされ（ステップS14）、エンディングが開始される（ステップS15）。その後、エンディング時間が経過すると（ステップS16）、エンディングを終了し、大当たりが終了する（ステップS17）。
【００６７】
（２）大入賞口ＳＷ処理（図１６）
図１６において、遊技制御基板２０は、大入賞口ＳＷ６７がONすると（ステップS21）、大当たり中のときは入賞個数Ｃを「１」だけ加算し（ステップS22、ステップS23）、賞球１５個コマンドをセットし払出制御基板２２に送信する（ステップS24）。賞球１５個コマンドを受信した払出制御基板２２は、払出駆動モータ３２に作動信号を出力し、払出駆動モータ３２が駆動されて１５個分の賞球が払出される。
【００６８】
そして、実施形態の大入賞口装置４０では、図６のＢ、図７〜９、図１０のＢ，１１のＢ，１２のＢに示すように、開閉部材６０が駆動手段７０の大入賞口ソレノイド７１や運動変換機構７５によって、入賞可能状態ＯＰに移動している状態で、遊技球Ｂが上方から流下してくれば、遊技球Ｂは、枠体部５０の入球口５５に入って開閉部材６０の案内面部６１に載り、さらに、前枠部５１と後枠部５４（装飾用ランプ４２を含む）とに前後を位置規制されつつ、案内面部６１の下がった側の大入賞口６５の開口部位６６側に転動して、大入賞口６５に入賞し、また、検知部材としての大入賞口ＳＷ６７に検知されて、その後、球通路６９を経て遊技盤１内の所定の排出樋側に排出されることとなる。後続の遊技球Ｂも、同様に、案内面部６１上を転動して大入賞口６５に入賞して大入賞口ＳＷ６７に検知された後、球通路６９を経て遊技盤１内の所定の排出樋側に排出される。
【００６９】
その後、パチンコ遊技機Ｐの制御手段としての遊技制御基板２０が、大入賞口ＳＷ６７の信号に基づいて、所定個数Ｃの入賞球を「９」までカウントすれば、駆動手段７０の大入賞口ソレノイド７１が、遊技制御基板２０の制御により、開閉部材６０を入賞不能状態ＣＬに移動させる。
【００７０】
その際、図９，４に示すように、開閉部材６０の案内面部６１上に遊技球Ｂが載って、大入賞口６５への入賞直前に位置していても、案内面部６１が入球口５５の下端側を開口させるように前後方向の前方側に移動するため、案内面部６１上に載っていた遊技球Ｂは、転動面６１ａとしていた案内面部６１が無くなることから、大入賞口６５に入賞すること無く、入球口５５から直ちに下方に落下する。そのため、大入賞口６５への入賞直前の案内面部６１上に遊技球Ｂが載っていても、案内面部６１が移動すれば、大入賞口６５へ入賞せずに、直ちに、その遊技球Ｂが落下することから、大入賞口６５への入賞個数を安定させることができる。
【００７１】
また、この入賞可能状態ＯＰから入賞不能状態ＣＬへ移動する契機となる検知手段としての大入賞口ＳＷによる遊技球Ｂの検知は、大入賞口ＳＷ自体が、遊技盤１から前方に突出した枠体部５０における案内面部６１の下がった側の左枠部５１側に配置された大入賞口６５の開口部位６６、に配置されており、迅速に行うことができる。
【００７２】
したがって、実施形態の大入賞口装置４０では、大入賞口６５への入賞の検知を迅速に行え、かつ、入賞個数を安定させることができる。
【００７３】
なお、実施形態では、開閉部材６０の案内面部６１における転動面６１ａを左方側に下げ、枠体部５０の左枠部５１に、大入賞口６５の開口部位６６と大入賞口ＳＷ６７とを配設させたが、左右を入れ変えて、案内面部６１の転動面６１ａを右方側に下げ、枠体部５０の右枠部５２に、大入賞口６５の開口部位６６と大入賞口ＳＷ６７とを配設させてもよい。さらに、案内面部６１の転動面６１ａを左右方向の中央を高くして、左右両端側を下方に下げるように構成し、そして、枠体部５０の左右両側の左枠部５１と右枠部５２とに、大入賞口６５の開口部位６６と大入賞口ＳＷ６７とを配設させてもよい。
【００７４】
そしてまた、実施形態の大入賞口装置４０では、開閉部材６０の案内面部６１が、左右方向に延びる棒状に形成されて、入賞可能状態ＯＰへの配置時、上方から見た入球口５５の前後方向の中間部位で、前後に隙間ＨＦ，ＨＢを開けて、配設されている（図８参照）。
【００７５】
そのため、案内面部６１の前後方向の幅寸法ＷＲが狭いことから、入賞可能状態ＯＰから入賞不能状態ＣＬに前方へ移動すれば、入球口５５の下端側における案内面部６１の前後方向の隙間ＨＦ，ＨＢを、遊技球Ｂを流下可能な幅寸法に、直ちに大きくできて、入賞可能状態ＯＰから入賞不能状態ＣＬへの移動時に、一層迅速に、大入賞口６５への入賞を阻止できるように、入球口５５の下端側を開口させて、遊技球Ｂを落下させることができる。
【００７６】
この点を考慮しなければ、入球口５５の下方の略全域を塞ぐように、案内面部６１を構成してもよい。
【００７７】
さらに、実施形態の大入賞口装置４０では、開閉部材６０が、案内面部６１に連なって配設されて、大入賞口６５の開口部位６６を、入賞不能状態ＣＬへの配置時に塞ぎ、入賞可能状態ＯＰへの配置時に開口させる蓋部６３、を備えている。
【００７８】
そのため、実施形態では、大入賞口６５を開放させる大当たりでない通常遊技時等において、遊技球Ｂが入球口５５に流下してきても、蓋部６３により、大入賞口６５への入球を安定して確実に阻止することができる。特に、実施形態では、蓋部６３が、開閉部材６０における開口部位６６側の左保持杆６２Ｌと一体的に三日月板状に形成されており、案内面部６１の入賞不能状態への回動時に、入球口５５の下端側の開口と同時に、迅速に、開口部位６６を塞ぐことができる。
【００７９】
さらにまた、実施形態の大入賞口装置４０では、開閉部材６０が、案内面部６１を前枠部５３側に位置させて、入賞不能状態ＣＬとし、案内面部６１を前枠部５３側から後方移動させて入賞可能状態ＯＰとするように、駆動手段７０のカムフレーム７７に連結させている。
【００８０】
そのため、開閉部材６０が、入賞不能状態ＣＬから入賞可能状態ＯＰへ案内面部６１を移動させる際、入球口５５内に遊技球Ｂが位置していても、その遊技球Ｂを案内面部６１により遊技盤１の前方のガラス枠１２に当てるようなことを防止できて、異音が発生し難い。
【００８１】
上記の点を考慮しなければ、開閉部材６０は、入賞不能状態ＣＬへの配置時、案内面部６１を遊技盤１側の後枠部５４側に収納し、入賞可能状態ＯＰへの配置時、案内面部６１を前方側に繰り出してもよい。この場合、入球口５５の前後方向の中間付近まで案内面部６１を繰り出せばよく、その際の案内面部６１は、前後方向に平面的な板状でもよいし、前後に隙間ＨＦ，ＨＢを空けるような左右方向に延びる棒状に構成してもよい。
【００８２】
さらにまた、実施形態の大入賞口装置４０では、開閉部材６０が、案内面部６１の左右両端にそれぞれ連結され、かつ、案内面部６１を前後に揺動可能に、左枠部５１と右枠部５２とにそれぞれ支持される保持杆６２（６２Ｌ，６２Ｒ）を設けて構成されている。そして、駆動手段７０のカムフレーム７７が、案内面部６１を前後方向に回動させて入賞可能状態ＯＰと入賞不能状態ＣＬとなる位置に配置させるように、左保持杆６２Ｌに連結されている。
【００８３】
そのため、実施形態では、開閉部材６０を前後方向にスライドさせるように移動させて、入賞可能状態や入賞不能状態に移動させる場合に比べて、省スペースとして、パチンコ遊技機Ｐに搭載できる。
【００８４】
なお、実施形態では、開閉部材６０の案内面部６１を前後方向に揺動させる際、入賞不能状態ＣＬから入賞可能状態ＯＰへ後方へ回動させているが、入賞不能状態ＣＬへの配置時、案内面部６１を遊技盤１側に配置させ、入賞可能状態ＯＰへの配置時、案内面部６１を、入球口５５の下端を塞ぐように、前方へ移動させるように回動させてもよい。
【００８５】
また、実施形態では、枠体部５０の前枠部５３が、後枠部５４より、上下方向の幅寸法を小さく形成されて、後枠部５４に、前方から視認可能に点灯する装飾用ランプ４２が、配設されている。
【００８６】
そのため、実施形態では、遊技盤１の盤面１ｂにおける大入賞口装置４０の配置エリアに、容易に、厚さ寸法が必要なＬＥＤ電飾基盤４２ｂやレンズ４２ａを設けた装飾用に点灯する装飾用ランプ４２を、配置できる。そして、実施形態では、演出制御基板２１やランプ制御基板２５での制御に基づく大当たり演出やリーチ演出等において、適宜、装飾用ランプ４２を点灯させれば、遊技者の目を楽しませることができる。
【００８７】
ちなみに、例えば、従来のような、前後方向に回動する開閉扉を設けた大入賞口装置では、その正面から見るエリアには、開閉扉が配置され、その薄くかつ回動する開閉扉には、厚さ寸法のある装飾用ランプを配置させ難かった。しかし、実施形態の後枠部５４には、後方へ凹んで遊技球Ｂを導く球通路や開閉扉を設けずに済み、容易に、厚さ寸法のある装飾用ランプ４２を配設することができる。
【符号の説明】
【００８８】
１…遊技盤、１ｂ…盤面、２…遊技領域、２０…（制御手段）遊技制御基板、４０…大入賞口装置、４２…装飾用ランプ、５０…枠体部、５１…左枠部、５２…右枠部、５３…前枠部、５４…後枠部、５５…入球口、
６０…開閉部材、６１…案内面部、６２（６２Ｌ，６２Ｒ）…保持杆、６３…蓋部、
６５…大入賞口、６６…開口部位、６６ａ…開口面、６７…（検出手段）大入賞口ＳＷ、６９…球通路、
７０…駆動手段、７１…（駆動源）大入賞口ソレノイド、７５…運動変換機構、
ＣＬ…（案内面部の）入賞不能状態、ＯＰ…（案内面部の）入賞可能状態、Ｘ…（開口面の）軸心、ＲＣ…（開閉部材の）回動軸、ＨＦ，ＨＢ…（前後の）隙間、Ｂ…遊技球、Ｐ…パチンコ遊技機。
【図１】
0005856003.tif 000002
【図２】
0005856003.tif 000003
【図３】
0005856003.tif 000004
【図４】
0005856003.tif 000005
【図５】
0005856003.tif 000006
【図６】
0005856003.tif 000007
【図７】
0005856003.tif 000008
【図８】
0005856003.tif 000009
【図９】
0005856003.tif 000010
【図１０】
0005856003.tif 000011
【図１１】
0005856003.tif 000012
【図１２】
0005856003.tif 000013
【図１３】
0005856003.tif 000014
【図１４】
0005856003.tif 000015
【図１５】
0005856003.tif 000016
【図１６】
0005856003.tif 000017